(57)【要約】【課題】  ペットに不快感を与える事なく体温データを検出できるＩＣタグ、それを用いたペット監視装置の提供。【解決手段】  ペット用シートとして設置したエアマットと、エアマットの内部圧力変化を検出する圧力検出手段と、圧力検出手段で検出した前記エアマットの内部圧力変化を基づき被検者の生体データを測定する手段と電源電池を備え、所定時分ごとに温度を測定・記憶する第１測温部と、温度測定部を有するＩＣタグを備え、ペットの体内の適所に埋め込み又は装着可能な体温測定可能な第２測温部、測定された体温情報を読取るＩＣタグ読み取り部、血統情報，飼い主情報，予防接種情報等を入力可能な入力部、体温測定部による測定値を記憶する記憶部、記憶部により記憶されている各種生体情報をトレンド表示すると共に、第１測定部で予め測定された所定時間の体温をトレンド記憶し、第２測温部で測定し、トレンド記憶した体温データと比較表示するようにした。【選択図】図１
2007236251.tif 000002
【特許請求の範囲】
【請求項１】
ペット監視装置であって、
ペット用のシートとして設置したエアマットと、前記エアマットの内部圧力変化を検出する圧力検出手段と、前記圧力検出手段で検出した前記エアマットの内部圧力変化を基づき被検者の生体データを測定する手段と、電源電池を備え、所定時分ごとに温度を測定・記憶する第１の測温部と、温度測定部を有するＩＣタグを備え、ペットの体内の適所に埋め込みまたはペットに装着可能な体温測定可能な第２の測温部と、測定された体温情報を読取るＩＣタグ読み取り部と、血統情報，飼い主情報，予防接種情報等を入力可能な入力部と、前記第１の測温部による測定値を記憶する記憶部と、前記記憶部により記憶されている各種生体情報をトレンド表示するとともに、前記第１の測温部で予め測定された所定時間の体温のトレンド記憶しておき、前記第２の測温部で測定し、トレンド記憶した体温データと比較表示するようにしたことを特徴とするペット監視装置。
【請求項２】
さらに、体動，脈拍，呼吸等の生体情報もトレンド記憶し、表示するようにしたことを特徴とする請求項１記載のペット監視装置。
【請求項３】
所定の閾値以上の体温変化または所定の閾値以上／以下の体温が検出されるとアラームを発生することを特徴とする請求項１記載のペット監視装置。
【発明の詳細な説明】
【技術分野】
【０００１】
本発明は、ペット監視装置に関し、特に、予め所定時間の体温トレンドを記憶しておき、モニタする時は、測定部と本体部が分離され、体温データが無線で所定間隔で送信されるペット監視装置に関する。さらに、脈拍，呼吸数も監視できるペット監視装置に関する。
【背景技術】
【０００２】
近年、イヌ等のペットの寿命が延び、ペットを飼育する際の日々の健康管理の必要性が高まってきている。また、イヌだけでも６００万匹がペットとして登録されている。こうした状況で、服状のセンサーモジュールをペットに装着して心拍、心拍変化率を測定し、ペットの生体状態を無線で把握する装置が提案されている（特許文献１）。しかしながら、体温を測定するものでなく、センサ部は電極を含み、必ずペットの皮膚と接触するもので少なからず不快感を与えるものである。首輪に埋め込まれた非接触型のＩＣチップにより、ＩＤコードと照合し、飼い主情報、連絡先情報を速やかに取得できる管理システムが提案されている（特許文献２）。また、温度センサと一体化されたＩＣタグにより、軸受の異常検査システムが提案されている（特許文献３）ものの、ペットの体温データを監視するシステムは未だ提案されていない。
【特許文献１】特開２００４−１３８号公報
【特許文献２】特開２００４−３５７５８９号公報
【特許文献３】特開２００５−３２２５６号公報
【発明の開示】
【発明が解決しようとする課題】
【０００３】
本発明の目的は、上記問題点に鑑みてなされたもので、ペットに不快感を与えることなく、体温データを検出できるＩＣタグ、それを用いたペット監視装置を提供することにある。また、ターミナルケアの支援も可能なペット監視装置を提供することにある。
【課題を解決するための手段】
【０００４】
上記課題を解決するために、本発明のペット監視装置は、ペット用のシートとして設置したエアマットと、エアマットの内部圧力変化を検出する圧力検出手段と、圧力検出手段で検出した前記エアマットの内部圧力変化を基づき被検者の生体データを測定する手段と、電源電池を備え、所定時分ごとに温度を測定・記憶する第１の測温部と、温度測定部を有するＩＣタグを備え、ペットの体内の適所に埋め込みまたはペットに装着可能な体温測定可能な第２の測温部と、測定された体温情報を読取るＩＣタグ読み取り部と、血統情報，飼い主情報，予防接種情報等を入力可能な入力部と、第１の測温部による測定値を記憶する記憶部と、記憶部により記憶されている各種生体情報をトレンド表示するとともに、第１の測温部で予め測定された所定時間の体温のトレンド記憶しておき、第２の測温部で測定し、トレンド記憶した体温データと比較表示するようにしたことを特徴とする。さらに、体動，脈拍，呼吸等の生体情報もトレンド記憶し、表示するようにしたことを特徴とする。また、所定の閾値以上の体温変化または所定の閾値以上／以下の体温が検出されるとアラームを発生することを特徴とする。
【発明の効果】
【０００５】
本発明によれば、ペットの体温，脈拍，呼吸，心拍数等の生体情報もトレンド記憶し、表示するとともに、狂犬病，フィラリア等の予防接種等の情報や、血統情報とともに，感染症等による所定時間、例えば２４時間での体温変化が健常時とどのように異なるかどうかを容易に比較できる。また、ペットのターミナルケアを行なうにあたって、小型のペットだけでなく、大型のイヌ等のペットのターミナルケにおいて心拍数，呼吸数が容易に把握できる。  
【発明を実施するための最良の形態】
【０００６】
図１は、本発明の一実施例を示し、動物病院内，ペットの飼い主宅等に設置したエアマットとペットＰ及びペット監視装置の概略及びブロック図である。図２は、温度測定部を有するＩＣタグ（ＲＦＩＤ）及び温度測定部を有し電池が搭載されたＩＣタグのブロック図である。以下、図面を参照して詳細に説明するが、実施例に限られるものではない。
【０００７】
図１において、ペットＰが飼育，治療されている室内等の部屋において、ペット用に室内に設置した生体データ測定用専用エアマット２を床の上に設置し、コネクタ４ａ、エアチューブ４を経てパソコンなどの機能を有する端末装置５とデータ測定用専用エアマット２とを接続し、生体データ測定用専用エアマット２の圧力変化を端末装置５に伝達できるようにしている。エアチューブ４がペットＰにより食いちぎられないように、金属細線でエアチューブ４を被覆しておいたり、測定しない場合には、コネクタ４ａを生体データ測定用専用エアマット２から外すようにする。なお、この生体データ測定用専用エアマット２はペットの躾用のトレイも兼用するようにしてもよい。また、重量センサ(不図示)を設けて、就寝時や安静時に体重測定できるようにすれば、ペットの成育のトレンド情報が得られる。また、飼い主宅での使用の場合、端末装置５，携帯端末５０ａから専用ＬＡＮ，電話回線，インターネット等の情報通信ネットワーク８を介して、動物病院等の獣医師１０等のサイト７と情報通信可能となっている。
【０００８】
＜監視システムの具体的構成＞
ペット（犬等）Ｐは、通常の状態で生体データ測定用専用エアマット２の上で横臥して就寝する。必要に応じて、首輪，ペット用洋服４００の内側等の適所に温度測定部を有するＩＣタグ１００を含む第２の測温部をその内部に設けて体温測定ができるようになっている。温度測定部を有するＩＣタグ１００は、フック−ループ型面ファスナー等を備える囲包部材で囲包し、着脱自在にしてもよい。端末装置５には、圧力変化を検出する圧力センサ２０，２１と、その検出信号を処理して管理サイト／獣医師サイト７へＬＡＮ等専用回線またはインターネット等の情報通信ネットワーク８を介して伝送する制御監視装置、ＩＣタグ読み取り部３４が設けられている。端末装置５と管理サイト／獣医師サイト７の管理用コンピュータ（制御装置）１１とは、情報通信ネットワーク８で、相互に情報が伝送できるようになっている。管理用コンピュータ（制御装置）１１は、記憶部，表示部，入力部，外部通信部等を備えている。動物病院内などで複数のペットを管理する場合には、同時に体温情報の読取り可能になる、アンチコリージョン型のＩＣタグを用いる。
【０００９】
管理サイト／獣医師サイト７にはサーバー（データ処理装置）９を設置し、ペットＰのＩＤと関連付けして、脈拍，呼吸，血圧，体温，体動等のペットＰの生体情報の測定データの収集、集計、データ分析等を行うようにしてもよい。また、担当獣医師１０の机上には管理パソコン１１を設置し、担当獣医師医１０が随時、ペットＰの身体状態を把握、監視するとともに、緊急時の被検者異常通報を受けたり、電話器により飼い主に指示を出したり、連絡したりすることができるようにしてもよい。
【００１０】
図１において、４０は、ＲＯＭ４２，ＲＡＭ４３などに記憶されたコンピュータ読み取り可能なプログラム、所定の条件などに基づいて所定の処理フローを実行する制御部（ＣＰＵ）である。３６は表示部、４４は、検出された体温，心拍，呼吸などのペットＰの生体情報を記憶する記憶部である。２０は、微差圧センサ、２１は、絶対圧力センサで、エアマット２の内部圧力をエアチューブ４を介して微差圧センサ２０と絶対圧力センサ２１に入力される。ペットＰの身体に起因する振動がエアマット２に伝達されるので、エアマット２の内部圧力が変化する。微差圧センサ２０は圧力変動分を検出し、また、絶対圧力センサ２１はエアマット２の内部圧力の絶対圧力を検出する。絶対圧力センサ２１は被介護者Ｐがエアマット２上にいるかを検出するために設けられている。
【００１１】
微差圧センサ２０としては、例えば、圧力の変化を受ける受圧面と対抗電極との間の静電容量変化を検知して差圧を検出するコンデンサマイクロフォン型差圧計が用いられる。コンデンサマイクロフォン型差圧計はエアマット２内部の微小な圧力変動を検出できる。
【００１２】
微差圧センサ２０の検出信号は監視制御装置を構成するゲイン制御部３１に与えられる。ゲイン制御部３１は微差圧センサ２０の検出信号のレベルを所定範囲の信号レベルに調整する。ペットＰの姿勢によってエアマット２に伝わる心拍や呼吸などの振動の強さが異なるために、微差圧センサ２０の出力信号の強度（レベル）が異なる。ゲイン制御部３１は姿勢によって異なる信号レベルを所定レベルの信号になるようにゲインを調整し、心拍フィルタ３２、呼吸フィルタ３３に出力する。また、ゲイン制御部３１のゲイン値が姿勢判別部３６に加えられる。ゲイン制御部３１によって所定レベルに変換された微差圧センサ２０の出力信号を心拍フィルタ３２、呼吸フィルタ３３に加えることにより、これら心拍フィルタ３２、呼吸フィルタ３３から心拍信号、呼吸信号などのペットＰの生体データが得られる。心拍フィルタ３２、呼吸フィルタ３３から得られたペットＰの生体データはＡ／Ｄ変換部３５でデジィタル信号に変換されデータ処理部３７に入力される。また、ペットＰに装着された首輪，ペット用洋服等４００等の内側に装着された温度センサ付きＩＣタグ１００（図２（ｂ）参照）から、温度情報をＩＣタグ読取り部３４で間歇的（例えば１０〜３０分ごと）に読み取る。ＩＣタグ読取り部３４から１３．５６ＭＨｚの電磁波を送信し、その信号をアンテナを介して温度センサ付きＩＣタグ１００が受け、温度センサ１０６による温度(体温)情報を温度センサ付きＩＣタグ１００から読取る。データ処理部３７は入力した生体データの各種の演算処理を行い、ペットＰの状態を監視する。生体データの各種の演算処理には、ペットＰの平常時の生体データとのパターン比較などが含まれる。データ処理部３７は絶対圧力センサ２１がエアマット２上にペットＰがいることを検出しているときに演算処理を実行する。
【００１３】
また、ゲイン制御部３１のゲイン値が姿勢判別部３６に加えられる。エアマット２の内部圧力を検出する微差圧センサ２０の検出信号のレベルはペットＰの横臥している姿勢によって異なるためゲイン制御部３１でゲイン調整する。
【００１４】
データ処理部３７において、演算された心拍数、呼吸数、体動の大きさ、体温等を演算処理した結果は記憶部４４にペットＰのＩＤと対応して記憶部４４に記憶されるとともに表示装置３６に表示される。同時に管理サイト／獣医師サイト７に伝送可能となっている。このようにしてペットＰの状態の監視が行われる。
【００１５】
ペットＰの生体データは、差圧センサ（相対圧センサ）２０と絶対圧力センサ２１で捉えた信号の特徴により、心拍数、呼吸数等を識別化する。例えば、心拍数と呼吸数は、フィルタ３２、３３を通して正常範囲の周波数に分離する。Ａ／Ｄ変換部３５によりディジタル信号に変換後にデータ処理部３７において高速フーリエ変換を施してピークスペクトルとなる基本周波数を求め、それぞれを抽出する。携帯端末５０ａに、端末５と同様の機能をもたせることで、特に飼い主宅での飼い主、動物病院等での獣医師等の負担が軽減される。携帯端末５０ａには、表示部１１、ブザー等の報知手段１９、無線によるＩＣタグ読取り部１３、入力部１４、記憶部１５、処理フロー等を記憶し、コンピュータで読取り可能なプログラムを記憶しているＲＡＭ１６，ＲＯＭ１７，ｉ−モードによるインターネット等の情報通信ネットワーク（不図示）を介して通信を行なう外部通信部１２を備えている。メモ情報を機能キー１４ａ、入力部１４で入力し、記憶、表示できるようになっている。また、機能キー１４ａで入力項目を適宜選択して、体温，血圧，脈拍，呼吸数，血糖値等を入力し、記憶、表示できるようになっている。なお、動物病院等で使用する温度測定部を有するＩＣタグ１００は、同時に体温情報の読取り可能になる、アンチコリージョン型のＩＣタグを用いることが好ましい。
【００１６】
＜ＩＣタグの構成＞
図２（ｂ）において、１００は、外部からの通信信号を受けて作動するように構成された温度センサ付ＩＣタグ（ＲＦＩＤ）（第２の測温部）である。１０１は、ＩＣタグ読み取り部３４からの信号を受け、ロジック部１１０を所定のフローで動作させるプログラムが記憶され、コンピュータで読取り可能な記憶媒体であるＲＡＭである。１０２はＥＥＰＲＯＭで、温度センサ１０６のそれぞれに対応するオフセット値，温度補正値などが記憶されている。また、体温情報も記憶可能である。なお、ロジック部１１０は、より複雑な処理フローの制御が可能なＣＰＵとしてもよい。
【００１７】
温度センサ１０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。１０３は、被介護者Ｐに設けられた温度測定部を有するＩＣタグ（ＲＦＩＤ）１００の体温情報を取得するための送受信回路、１０３ａはアンテナ、１０４は電源部である。この電源部１０４は、コイルを有するアンテナ部１０３ａを介して、体温情報を読取られる時に温度測定部を有するＩＣタグ１００の各部に電源を供給する。１０７はＡ／Ｄ変換部であり、温度センサ１０６と発振回路（不図示）で発生した体温信号をＡ／Ｄ変換するものである。ＩＣタグ１００は、アンテナ１０３ａを含めて幅Ｗ５ｍｍ×５ｍｍ、厚さＷ１．５ｍｍ程度の大きさである。なお、ＩＣタグ１００は、生体を通過可能な周波数の電磁波での通信（送受信）可能なものであれば、どのような周波数でもよいが、好ましくは１３．５６ＭＨｚの電磁波で３ｃｍ〜1ｍ程度の距離で送信可能になっている。
【００１８】
体温情報もＥＥＰＲＯＭ１０２に記憶できるので、別のベッドや別の部屋にペットＰを移し換えても継続して体温情報を記憶できる。また、間違ったペットＰの情報を取得しないようにしたり、アンテナ１０３ａから出力される信号を暗号化処理可能にしてセキュリティ機能を持たせることができる。
【００１９】
ＣＰＵ４０のデータ処理部において、体温等を演算処理した結果は、記憶部４４にペットＰのＩＤと対応して記憶されるとともに、表示部３６に表示される。同時に管理サイト／獣医師サイト７に伝送可能となっている。このようにしてペットＰの状態の監視が行われる。
【００２０】
２００は、電池内蔵で、設定された時間（分）間隔で体温（温度）情報を最大３６０日程度記憶できるように構成された温度センサ付ＩＣタグ（第１の測温部）である。この温度センサ付ＩＣタグ（第１の測温部）をペットＰの適所に貼付けなどして健常時の所定時間、例えば、２４時間の体温を測定・記憶する。この情報は、外部通信部２０８、外部通信部３８を経て記憶部４４にトレンド記憶される。トレンド記憶された体温情報は、図３に示すように表示部に表示可能となる。この記憶・表示例は、春季のある１日（２４時間）の体温のトレンドグラフである。また、春・夏・秋・冬の四季に分けてそれぞれ２４時間の体温のトレンドを記憶しておくとよい。ペットＰのＩＤデータとともに記憶し、名前と併せて表示してもよい。２０１は、外部通信部５８からの信号を受け、ロジック部２１０を所定のフローで動作させるプログラムが記憶され、コンピュータで読取り可能な記憶媒体であるＲＡＭである。２０２はＥＥＰＲＯＭで、温度センサ２０６のそれぞれに対応するオフセット値，温度補正値などが記憶されている。また、体温情報も記憶可能である。なお、ロジック部２１０は、より複雑な処理フローの制御が可能なＣＰＵとしてもよい。
【００２１】
温度センサ２０６としては、温度変化に対してほぼリニアにアナログ出力し、小型化・ＩＣタグとの一体化が可能で、３５〜４２℃の間で温度分解能が０．０５℃である、半導体型の温度センサ、例えばＣ−ＭＯＳ温度センサが好ましく用いられるが、サーミスタ型、サーモパイル（熱電対）型でも可能である。２０３は、ペットＰの首輪，ペット用洋服の内側の適所に設けられた温度測定部を有するＩＣタグ２００の体温情報を端末装置５からの読取り要求信号により、記憶された体温情報をペットＰのＩＤ情報とともに端末装置５に送信するための送受信回路である。ここでは、通信は、電気的な接続で行なわれるが、無線アンテナによる無線で送受信してもよい。２０４ａは内蔵電池であり、この内蔵電池２０４ａで温度センサ付ＩＣタグ２００の全てのプログラム演算処理の電源となっている。２０７はＡ／Ｄ変換部であり、温度センサ２０６と発振回路（不図示）で発生した体温信号をＡ／Ｄ変換するものである。ＩＣタグ２００は、幅Ｗ５ｍｍ×５ｍｍ、厚さＴ２．５ｍｍ程度（あるいは、直径７ｍｍ、厚さＴ２．５ｍｍ程度）の大きさである。なお、通信を無線で行なう場合、ＩＣタグ２００は、生体を通過可能な周波数の電磁波での通信（送受信）可能なものであれば、どのような周波数でもよいが、好ましくは１３．５６ＭＨｚの電磁波で送信可能になっている。予防接種（狂犬病，フィラリア等の予防接種）等の情報は、入力部５４で入力し、記憶部５５に記憶させる。体温情報もペットＰのＩＤ情報と併せてＥＥＰＲＯＭ２０２に記憶できるので、別のベッドや別の部屋にペットＰを移し換えても継続して体温情報を記憶できる。また、間違ったペットＰの情報を取得しないようにしたり、外部送受信部２０３から出力される信号を暗号化処理可能にしてセキュリティ機能を持たせることができる。このＩＣタグ２００は、測定間隔にもよるが測定間隔が１分で３日分程度、５分で２週間分程度、１０分で１ケ月分程度の体温測定・記憶が可能となっている。測定間隔の設定は専用の書き込み装置で行なうか、端末装置５の入力部４５，携帯端末５０の入力部１４で行い、接続端子１２ａ、外部送受信部２０３を介して、ＥＥＰＲＯＭ２０２に書き込まれる。
【００２２】
＜生体情報取得の処理フロー＞
図４に基づき、生体情報取得の処理フローを説明する。エアマット２上にペットＰがいる（横臥，お座り状態）ことまたは入力部４５等における測定開始操作等の入力指示を条件に測定を開始する。１０〜６０分毎に、差圧センサ（相対圧センサ）２０と絶対圧力センサ２１で圧力信号を取得（検出）する(ステップＳ１)。取得した圧力信号の特徴により、心拍数、呼吸数等を識別化し、心拍数、呼吸数等を演算する（ステップＳ２）。１回の圧検出時間は、２〜５分程度である。また、体温情報は、１０〜６０分毎に、ＩＣタグ１００にＩＣタグ読取り部３４から１３．５６ＭＨｚの電磁波を送信（送受信距離は、１０ｃｍ〜１ｍ程度）し、その信号と同期して得られる温度センサ１０６の体温情報を読取る（ステップＳ３）。これらの生体情報は、記憶部４４に記憶される(ステップＳ４)。この生体情報は閾値と比較される(ステップＳ５)。例えば、体温の場合、上限値が３７．０℃、下限値が３５．５℃としている。また、心拍は、例えば、上限値が１２０拍／分、下限値が３０拍／分、呼吸数は、例えば、上限値が９０／分、下限値が１０／分としている。これらの生体情報のうち少なくとも１つの情報が異常と判断されると、アラームを発生させ（ステップＳ６）、管理サイト／獣医師サイト７の担当獣医師１０に報知するようにしている。なお、担当獣医師１０の携帯電話などに報知するようにしてもよい。異常と判断されたペットＰの容体を確認後、リセット（ステップＳ７）する。異常がない場合は、ステップＳ１に戻り、測定終了の指示入力があるまで生体情報の  測定を繰り返す。測定され、記憶部４４に記憶されるペットの生体情報は、平均値、最大値、最小値、最多値を求めて、ペットＰのＩＤとともにそれらのデータも記憶部４４、サーバー９に記憶する。記憶部４４に記憶された、心拍数、呼吸数、体温等の生体情報は、図５に示すように表示部３６または表示部１１にトレンド表示される。表示例では、心拍（脈拍）数、呼吸数、体温を同時にトレンド表示しているが、このうち１つまたは任意の組合せで表示可能にしてもよい。また、このような情報は、管理サイト／獣医師サイト７の表示部（不図示）でも同様の表示ができるようになっている。
【００２３】
なお、ステップＳ５において、閾値との比較判断する前に、心拍数、呼吸数、体温等の生体情報の変化率が所定値より大きい場合、例えば体温において、０．５℃／時間の場合、測定間隔を初期設定値より短くして測定するようにすることで、ペットＰに対して、より詳細な監視が可能となる。
【００２４】
なお、圧力検出に基づく解析時間（所定時間）は２〜５分間でなく、任意の時間に設定できる。解析時間は１就寝分のデータ解析に都合のよい時間でよく、また、１就寝分でなく、所定の就寝時間内を設定することもできる。システムの規模、解析速度等により最適な条件とする。
【００２５】
データ処理部３７は、例えばペットＰの健康状態を次のような判断基準に基づき判定する。
【００２６】
次にペットＰの就寝中の異常監視と緊急通報について説明する。端末装置５のデータ処理部３７は、所定時間（２〜５分間）分の生体データを解析して心拍数、呼吸数等を算出し、また、ＩＣタグからの温度情報から、これらが異常といえる既定値の範囲を越えた場合に体温値異常、心拍数異常、呼吸数異常として表示部３６へ表示するとともに、緊急通報として管理パソコン１１に通報する。このときペットＰの状態を撮像手段（不図示）で撮像し、生体情報の異常情報とともに送信できるようにすれば、管理サイト／獣医師サイト７の獣医師１０の判断が容易になる。データ処理部３７は心拍数異常、呼吸数異常として表示部３６へ表示すると共にブザーを鳴動させるようにする。データ処理部３７は、体動に関しては一定時間以上続くと発作と認識して同様に表示とブザー応答を行い、情報通信ネットワーク８を介して管理サイト／獣医師サイト７の管理パソコン１１へ通報する。これを受けて管理サイト／獣医師サイト７の獣医師１０などの医療従事者が対処方法を情報通信ネットワーク８や電話、ＦＡＸなどでフィードバックする。
【図面の簡単な説明】
【００２７】
【図１】本発明の一実施例のシステムを示す図である。
【図２】本発明の実施例に係るＩＣタグのブロック図である。
【図３】本発明の実施例に係るペットの体温のトレンド記憶・表示例を示す図である。
【図４】本発明の実施例に係る処理フローを示す図である。
【図５】本発明の実施例に係るペットの生体情報のトレンド記憶・表示例を示す図である。
【符号の説明】
【００２８】
１・・・動物病院、飼い主等の部屋、２・・・エアマット、４・・・エアチューブ、５・・・端末装置、Ｐ・・ペット、７・・・管理サイト、８・・・情報通信ネットワーク、９・・・データサーバー、１０・・・獣医師、５０ａ・・・携帯端末、１００，２００・・・ＩＣタグ、１０１，２０１・・・ＲＡＭ、１０２，２０２・・・ＥＥＰＲＯＭ、１０３・・・送信受信回路、１０３ａ・・・アンテナ、１０６・・・温度センサ  
【図１】
2007236251.tif 000003
【図２】
2007236251.tif 000004
【図３】
2007236251.tif 000005
【図４】
2007236251.tif 000006
【図５】
2007236251.tif 000007